(57)【要約】【課題】  移動体通信を行うユーザへの快適な通信制御と限られた通信リソースの効率的な利用とを実現可能な無線基地局制御装置を提供する。【解決手段】  無線基地局制御装置ではパケット送信ハードキュー２３７に対するデータキューイング処理を行う前に、各移動体端末に対応するユーザデータ送信キュー２３４−１〜２３４−ｎと制御信号専用送信キュー２３５との２種類のソフトキューを追加してユーザデータと制御信号とを分離し、制御信号を優先的にパケット送信ハードキュー２３７にキューイングする。無線基地局制御装置のキュー制御部２３６は制御信号専用送信キュー２３５の内部状態を監視し、制御信号専用送信キュー２３５にキューイングされた制御信号が通信切断処理であった場合、通信切断処理を要求したユーザの使用しているユーザデータ送信キュー２３４−１〜２３４−ｎに溜まった不要データをクリアする。【選択図】      図２
2006054626.tif 000002
【特許請求の範囲】
【請求項１】
パケット送信ハードキューを通して移動体端末に対して各種信号の送信を行う無線基地局と、前記無線基地局を制御する無線基地局制御装置とを含む移動体通信システムであって、
前記移動体端末各々に対応して設けられかつ前記移動体端末へのユーザデータをキューイングするユーザデータ送信キューと、
前記移動体端末各々に共通に設けられかつ前記移動体端末への制御信号をキューイングする制御信号専用送信キューと、
前記ユーザデータ送信キューにキューイングされたユーザデータと前記制御信号専用送信キューにキューイングされた制御信号とを交互に前記パケット送信ハードキューへキューイングするキュー制御手段とを前記無線基地局制御装置に有し、
前記キュー制御手段は、前記制御信号専用送信キューにキューイングされた制御信号を監視して前記制御信号の内容を識別することを特徴とする移動体通信システム。
【請求項２】
前記キュー制御手段は、前記制御信号を優先的に前記パケット送信ハードキューにキューイングすることを特徴とする請求項１記載の移動体通信システム。
【請求項３】
前記キュー制御手段は、通信切断関連処理の制御信号が前記制御信号専用送信キューにキューイングされた時に当該制御信号が示すユーザ宛のユーザデータを前記ユーザデータ送信キュー上から廃棄することを特徴とする請求項１または請求項２記載の移動体通信システム。
【請求項４】
前記通信切断関連処理の制御信号として、前記移動体端末に対して送信されるハンドオーバ処理応答の制御信号を含むことを特徴とする請求項３記載の移動体通信システム。
【請求項５】
パケット送信ハードキューを通して移動体端末に対して各種信号の送信を行う無線基地局を制御する無線基地局制御装置であって、
前記移動体端末各々に対応して設けられかつ前記移動体端末へのユーザデータをキューイングするユーザデータ送信キューと、
前記移動体端末各々に共通に設けられかつ前記移動体端末への制御信号をキューイングする制御信号専用送信キューと、
前記ユーザデータ送信キューにキューイングされたユーザデータと前記制御信号専用送信キューにキューイングされた制御信号とを交互に前記パケット送信ハードキューへキューイングするキュー制御手段とを有し、
前記キュー制御手段は、前記制御信号専用送信キューにキューイングされた制御信号を監視して前記制御信号の内容を識別することを特徴とする無線基地局制御装置。
【請求項６】
前記キュー制御手段は、前記制御信号を優先的に前記パケット送信ハードキューにキューイングすることを特徴とする請求項５記載の無線基地局制御装置。
【請求項７】
前記キュー制御手段は、通信切断関連処理の制御信号が前記制御信号専用送信キューにキューイングされた時に当該制御信号が示すユーザ宛のユーザデータを前記ユーザデータ送信キュー上から廃棄することを特徴とする請求項５または請求項６記載の無線基地局制御装置。
【請求項８】
前記通信切断関連処理の制御信号として、前記移動体端末に対して送信されるハンドオーバ処理応答の制御信号を含むことを特徴とする請求項７記載の無線基地局制御装置。
【請求項９】
パケット送信ハードキューを通して移動体端末に対して各種信号の送信を行う無線基地局と、前記無線基地局を制御する無線基地局制御装置とを含む移動体通信システムに用いる呼状態管理送信制御方法であって、
前記移動体端末各々に対応して設けられかつ前記移動体端末へのユーザデータをキューイングするユーザデータ送信キューと前記移動体端末各々に共通に設けられかつ前記移動体端末への制御信号をキューイングする制御信号専用送信キューとを前記無線基地局制御装置に配設し、
前記無線基地局制御装置側に、前記ユーザデータ送信キューにキューイングされたユーザデータと前記制御信号専用送信キューにキューイングされた制御信号とを交互に前記パケット送信ハードキューへキューイングするステップと、前記制御信号専用送信キューにキューイングされた制御信号を監視して前記制御信号の内容を識別するステップとを有することを特徴とする呼状態管理送信制御方法。
【請求項１０】
前記パケット送信ハードキューへキューイングするステップは、前記制御信号を優先的に前記パケット送信ハードキューにキューイングすることを特徴とする請求項９記載の呼状態管理送信制御方法。
【請求項１１】
前記パケット送信ハードキューへキューイングするステップは、通信切断関連処理の制御信号が前記制御信号専用送信キューにキューイングされた時に当該制御信号が示すユーザ宛のユーザデータを前記ユーザデータ送信キュー上から廃棄するステップを含むことを特徴とする請求項９または請求項１０記載の呼状態管理送信制御方法。
【請求項１２】
前記通信切断関連処理の制御信号として、前記移動体端末に対して送信されるハンドオーバ処理応答の制御信号を含むことを特徴とする請求項１１記載の呼状態管理送信制御方法。
【請求項１３】
パケット送信ハードキューを通して移動体端末に対して各種信号の送信を行う無線基地局と、前記無線基地局を制御する無線基地局制御装置とを含む移動体通信システムに用いる呼状態管理送信制御方法のプログラムであって、コンピュータに、前記移動体端末各々に対応して設けられかつ前記移動体端末へのユーザデータをキューイングするユーザデータ送信キューにキューイングされたユーザデータと前記移動体端末各々に共通に設けられかつ前記移動体端末への制御信号をキューイングする制御信号専用送信キューにキューイングされた制御信号とを交互に前記パケット送信ハードキューへキューイングする処理と、前記制御信号専用送信キューにキューイングされた制御信号を監視して前記制御信号の内容を識別する処理とを実行させるためのプログラム。
【発明の詳細な説明】
【技術分野】
【０００１】
本発明は移動体通信システム、無線基地局制御装置及びそれに用いる呼状態管理送信制御方法並びにそのプログラムに関し、特に無線基地局制御装置における送信キューの制御方法に関する。
【背景技術】
【０００２】
従来、無線基地局制御装置においては、図１０に示すように、送信データバッファ１１に入っているユーザデータ（Ｕ−ＤＡＴＡ）や制御信号（Ｃ−ＤＡＴＡ）を、各ユーザ対応のｎ個のパケット送信ソフトキュー１３−１〜１３−ｎ毎に、ユーザデータや制御信号の区別をすることなく、キューイング処理を行っている。
【０００３】
したがって、任意のユーザが通信切断処理を行う場合には、そのユーザ対応のパケット送信ソフトキュー１３−１〜１３−ｎに溜まっているユーザデータの次に通信切断処理の制御信号がキューイングされることとなるため、この通信切断処理の制御信号がパケット送信ハードキュー１４にキューイングされるのは、パケット送信ソフトキュー１３−１〜１３−ｎに溜まっているユーザデータが全てパケット送信ハードキュー１４にキューイングされた後になる。
【０００４】
この状態では、ユーザが通信切断要求を出してから通信切断処理が完了するまでの間、対応するパケット送信ソフトキュー１３−１〜１３−ｎでは不要なデータをパケット送信ハードキュー１４にキューイングしているのに等しく、限られた無線基地局制御装置の通信リソースを無駄にしていることとなる。
【０００５】
従来の送信キュー使用方法を図１１を参照して説明する。図１１では、各々識別情報が付与されたｎ人の移動体端末ユーザ＃１〜＃ｎが出力するユーザデータ［ＩＰ（Ｉｎｔｅｒｎｅｔ  Ｐｒｏｔｏｃｏｌ）パケット］をＩＰ１〜ＩＰｎとする。
【０００６】
また、図１１では、同一の無線基地局（図示せず）のサービスエリアにてインタネット接続可能な移動体端末１５を用いて順番に大量のユーザデータをダウンロード開始したものと仮定しており、その内のユーザデータＩＰｎを出力する移動体端末ユーザ＃ｎが通信中に切断要求を送出し、通信切断しようとした際の動作を示している。この一連の動作について順番に説明する。
【０００７】
図１１のｄ１の動作は、インタネット網側から移動体端末ユーザ＃１に対してユーザデータＩＰ１を送出するため、無線基地局にあるパケット送信ハードキュー１４にデータを送出している。
【０００８】
図１１のｄ２の動作は、無線基地局から送付されたユーザデータＩＰ１を移動体端末ユーザ＃１が受信したこと示している。図１１ではこのｄ１，ｄ２の動作が順番にｎ人分繰り返されている状態を示している。ｄ３，ｄ４の動作、ｄ５，ｄ６の動作についても、上記のｄ１，ｄ２の動作と同様の処理が行われる。
【０００９】
ここで、移動体端末ユーザ＃ｎが通信切断要求を送出した場合、無線基地局制御装置にきた通信切断処理の制御信号は、図１０のｄ１，ｄ３，ｄ５の動作が終わった後に、パケット送信ハードキュー１４にキューイングされることになる。さらに、その制御信号よりも先に無線基地局制御装置のパケット送信ソフトキュー１３に到達していたユーザデータを全てパケット送信ハードキュー１４にキューイングしてからでなければ、制御信号はパケット送信ハードキュー１４にキューイングされない。この場合、移動体端末ユーザ＃ｎから見れば、切断要求送付後にも不要なユーザデータが送付されており、長い切断応答待ちの時間が必要となってしまう。
【００１０】
この問題を解決するための方法としては、ユーザデータキューと制御信号専用キューとを配設し、制御信号を優先的に送出する方法が提案されている（例えば、特許文献１参照）
【００１１】
【特許文献１】特開２０００−３４９８２９号公報
【発明の開示】
【発明が解決しようとする課題】
【００１２】
上述した従来の送信キュー使用方法では、図１０に示すように、無線基地局制御装置への通信要求をしてきた移動体端末の順番にしたがってユーザデータＩＰ１〜ＩＰｎを送出しているため、遅れて発呼した移動体端末の制御信号や、通信を途中で切断する移動体端末の制御信号を、先行して処理されているデータが全て送出されてからでないと、パケット送信ハードキュー１４にキューイングすることができない。
【００１３】
このため、先行して処理している移動体端末が多ければ多いほど、遅れて出した通信処理要求は滞留し、タイムアウトを起こす可能性が高くなってしまう。新規接続処理のタイムアウトが発生した場合、移動体端末ユーザには何らかのエラーメッセージが通知され、移動体端末ユーザが通信接続処理の再要求を余儀なくされてしまう。
【００１４】
上記の特許文献１では、ユーザデータと制御信号とが混在してキューイングされる時よりも、制御信号の待ち合わせ時間を減らすことができるが、他の制御信号が通信切断処理や新規接続処理の制御信号の前に送出されていれば、上記と同様に、タイムアウトを起こす可能性が高くなる。
【００１５】
そこで、本発明の目的は上記の問題点を解消し、移動体通信を行うユーザへの快適な通信制御と限られた通信リソースの効率的な利用とを実現することができる移動体通信システム、無線基地局制御装置及びそれに用いる呼状態管理送信制御方法並びにそのプログラムを提供することにある。
【課題を解決するための手段】
【００１６】
本発明による移動体通信システムは、パケット送信ハードキューを通して移動体端末に対して各種信号の送信を行う無線基地局と、前記無線基地局を制御する無線基地局制御装置とを含む移動体通信システムであって、
前記移動体端末各々に対応して設けられかつ前記移動体端末へのユーザデータをキューイングするユーザデータ送信キューと、
前記移動体端末各々に共通に設けられかつ前記移動体端末への制御信号をキューイングする制御信号専用送信キューと、
前記ユーザデータ送信キューにキューイングされたユーザデータと前記制御信号専用送信キューにキューイングされた制御信号とを交互に前記パケット送信ハードキューへキューイングするキュー制御手段とを前記無線基地局制御装置に備え、
前記キュー制御手段は、前記制御信号専用送信キューにキューイングされた制御信号を監視して前記制御信号の内容を識別している。
【００１７】
本発明による無線基地局制御装置は、パケット送信ハードキューを通して移動体端末に対して各種信号の送信を行う無線基地局を制御する無線基地局制御装置であって、
前記移動体端末各々に対応して設けられかつ前記移動体端末へのユーザデータをキューイングするユーザデータ送信キューと、
前記移動体端末各々に共通に設けられかつ前記移動体端末への制御信号をキューイングする制御信号専用送信キューと、
前記ユーザデータ送信キューにキューイングされたユーザデータと前記制御信号専用送信キューにキューイングされた制御信号とを交互に前記パケット送信ハードキューへキューイングするキュー制御手段とを備え、
前記キュー制御手段は、前記制御信号専用送信キューにキューイングされた制御信号を監視して前記制御信号の内容を識別している。
【００１８】
本発明による呼状態管理送信制御方法は、パケット送信ハードキューを通して移動体端末に対して各種信号の送信を行う無線基地局と、前記無線基地局を制御する無線基地局制御装置とを含む移動体通信システムに用いる呼状態管理送信制御方法であって、
前記移動体端末各々に対応して設けられかつ前記移動体端末へのユーザデータをキューイングするユーザデータ送信キューと前記移動体端末各々に共通に設けられかつ前記移動体端末への制御信号をキューイングする制御信号専用送信キューとを前記無線基地局制御装置に配設し、
前記無線基地局制御装置側に、前記ユーザデータ送信キューにキューイングされたユーザデータと前記制御信号専用送信キューにキューイングされた制御信号とを交互に前記パケット送信ハードキューへキューイングするステップと、前記制御信号専用送信キューにキューイングされた制御信号を監視して前記制御信号の内容を識別するステップとを備えている。
【００１９】
本発明による呼状態管理送信制御方法のプログラムは、パケット送信ハードキューを通して移動体端末に対して各種信号の送信を行う無線基地局と、前記無線基地局を制御する無線基地局制御装置とを含む移動体通信システムに用いる呼状態管理送信制御方法のプログラムであって、コンピュータに、前記移動体端末各々に対応して設けられかつ前記移動体端末へのユーザデータをキューイングするユーザデータ送信キューにキューイングされたユーザデータと前記移動体端末各々に共通に設けられかつ前記移動体端末への制御信号をキューイングする制御信号専用送信キューにキューイングされた制御信号とを交互に前記パケット送信ハードキューへキューイングする処理と、前記制御信号専用送信キューにキューイングされた制御信号を監視して前記制御信号の内容を識別する処理とを実行させている。
【００２０】
すなわち、本発明の移動体通信システムは、無線基地局制御装置内に存在するパケット送信ハードキューに対するデータキューイング処理を行う前に、各移動体端末対応のユーザデータ送信キューと制御信号専用送信キューとの２種類のソフトキューを追加することで、ユーザデータと制御信号とを分離し、制御信号を優先的にパケット送信ハードキューにキューイングすることを可能としている。
【００２１】
また、本発明の移動体通信システムは、キュー制御部にて制御信号専用送信キューの内部状態を監視し、制御信号専用送信キューにキューイングされた制御信号が通信切断処理であれば、通信切断処理を要求したユーザの使用しているユーザデータ送信キューに溜まった不要データをクリアすることによって、パケット送信ハードキューに不要となったデータをキューイングすることがなくなるため、無線伝送路上に不要なデータを送信することなく、通信リソースを効率的に使用することが可能となる。
【００２２】
より具体的に説明すると、本発明の移動体通信システムでは、送信データバッファから送信ハンドラによって各ユーザ対応のｎ個のパケット送信ソフトキューにキューイングし、そのパケット送信ソフトキュー＃１〜＃ｎのデータをシーケンシャルにパケット送信ハードキューにキューイングする処理を変更している。
【００２３】
本発明の移動体通信システムでは、従来の送信ハンドラをユーザデータ送信ハンドラと制御信号送信ハンドラとに分離し、それぞれに対応するｎ個のユーザデータ送信キューと制御信号専用送信キューとの２種類のソフトキューにデータをキューイングする作業を行っている。
【００２４】
つまり、本発明の移動体通信システムでは、従来のパケット送信ソフトキューの代わりに、各ユーザ対応のユーザデータを専門に処理するｎ個のユーザデータ送信キューと、各ユーザからの制御信号を専門に処理する制御信号専用送信キューとの２種類のソフトキューを配設している。
【００２５】
送信データバッファからデータをキューイングする際には、ユーザデータ送信ハンドラがユーザデータ送信キューにキューイングすべきデータの刈り取りを行い、制御信号送信ハンドラが制御信号専用送信キューにキューイングすべきデータの刈り取りを行っている。
【００２６】
また、本発明の移動体通信システムでは、キュー情報監視テーブルが常に制御信号専用送信キューを優先的に監視しながら、ｎ個のユーザデータ送信キューと制御信号専用送信キューとからシーケンシャルにパケットデータを１つずつパケット送信ハードキューにキューイングする作業を行っている。
【００２７】
キュー情報監視テーブルは制御信号専用送信キューに通信切断処理の信号が入った場合、制御専用送信キュー内にある通信切断処理の信号をパケット送信ハードキューにキューイングすると同時に、キュー制御部内にあるキュークリア処理部を起動し、通信切断処理対象となるユーザデータ送信キュー内にある不要となったユーザデータをクリア（リセット）することによって、そのユーザデータ送信キューのリソースを次のユーザのために割り当てる。
【００２８】
これによって、本発明の移動体通信システムでは、パケット送信ハードキューへのデータキューイング処理を、ユーザデータ送信キューと制御信号専用送信キューとの２種類のソフトキューに分離して行い、かつユーザデータ送信キューと制御信号専用送信キューとをキュー制御部にて監視することで、制御信号専用キューに通信切断処理の信号が入ってきた場合に、即座にキュー制御部内にあるキュークリア処理部を起動し、通信切断処理対象となるユーザデータ送信キュー内にある不要となったユーザデータをクリアすることが可能となる。
【００２９】
よって、本発明の移動体通信システムでは、そのユーザデータ送信キューのリソースを次に通信を行う新規ユーザのために割り当て、かつパケット送信ハードキューに不要なデータをキューイングすることをなくすことが可能となる。
【発明の効果】
【００３０】
本発明は、以下に述べるような構成及び動作とすることで、移動体通信を行うユーザへの快適な通信制御と限られた通信リソースの効率的な利用とを実現することができるという効果が得られる。
【発明を実施するための最良の形態】
【００３１】
次に、本発明の実施の形態について図面を参照して説明する。図１は本発明の実施の形態による移動体通信システムの構成を示すブロック図である。図１においては、ＡＴＭ（Ａｓｙｎｃｈｒｏｎｏｕｓ  Ｔｒａｎｓｆｅｒ  Ｍｏｄｅ）交換機を用いた移動体通信システムを示している。
【００３２】
図１において、本発明の実施の形態による移動体通信システムは無線基地局１−１，１−２と、ＡＴＭ交換機２と、関門交換機３とから構成されている。ＡＴＭ交換機２はＡＴＭスイッチ２１と、パケット処理装置２２と、無線基地局制御装置２３と、移動体端末終端装置２４とを含んで構成されている。関門交換機３はＡＴＭスイッチ３１と、プロトコル変換装置３２と、パケット処理装置３３とを含んで構成されている。
【００３３】
図２は図１の無線基地局制御装置２３の構成例を示すブロック図である。図２において、無線基地局制御装置２３は送信データバッファ２３１と、ユーザデータ送信ハンドラ２３２と、制御信号送信ハンドラ２３３と、ユーザデータ送信キュー２３４−１〜２３４−ｎと、制御信号専用送信キュー２３５と、キュー制御部２３６と、パケット送信ハードキュー２３７と、キュー制御部２３６で実行されるプログラムを格納する記録媒体２３８とから構成されている。尚、図示していないが、キュー制御部２３６はＣＰＵ（中央処理装置）とＲＡＭ（ランダムアクセスメモリ）とを含んで構成され、ＣＰＵが記録媒体２３８のプログラムをＲＡＭに厚仕手実行することで、後述するキュー制御部２３６の処理が実現される。
【００３４】
本発明の実施の形態では、無線基地局制御装置２３内に存在するパケット送信ハードキュー２３７に対するデータキューイング処理を行う前に、各移動体端末（図示せず）に対応するユーザデータ送信キュー２３４−１〜２３４−ｎと制御信号専用送信キュー２３５の２種類のソフトキューを追加することで、ユーザデータ（Ｕ−ＤＡＴＡ）と制御信号（Ｃ−ＤＡＴＡ）とを分離し、制御信号（Ｃ−ＤＡＴＡ）を優先的にパケット送信ハードキュー２３７にキューイングすることができる。
【００３５】
また、本発明の実施の形態では、新たに追加したキュー制御部２３６が制御信号専用送信キュー２３５の内部状態を監視し、制御信号専用送信キュー２３５にキューイングされた制御信号（Ｃ−ＤＡＴＡ）が通信切断処理であった場合、通信切断処理を要求したユーザの使用しているユーザデータ送信キュー２３４−１〜２３４−ｎに溜まった不要データをクリアすることによって、パケット送信ハードキュー２３７に不要となったデータをキューイングすることがなくなるため、無線伝送路上に不要なデータを送信することなく、通信リソースを効率的に使用することができる。
【００３６】
図２に示す無線基地局制御装置のキュー構成は、図９に示す従来の無線基地局制御装置の送信キュー構成に対して本発明の実施の形態を適用した構成である。本発明の実施の形態では、従来の送信データバッファから送信ハンドラによって各ユーザ対応のｎ個のパケット送信ソフトキュー１３−１〜１３−ｎにキューイングし、そのパケット送信ソフトキュー１３−１〜１３−ｎのデータをシーケンシャルにパケット送信ハードキュー１４にキューイングするという処理を変更している。
【００３７】
図３は本発明の実施の形態による送信キューの使用方法を示す図である。図３において、本発明の実施の形態では、従来の送信ハンドラを、ユーザデータ送信ハンドラ２３２と制御信号送信ハンドラ２３３とに分離し、それぞれ対応するｎ個のユーザデータ送信キュー２３４−１〜２３４−ｎと制御信号専用送信キュー２３５との２種類のソフトキューにデータをキューイングする処理を行っている。
【００３８】
ｎ個のユーザデータ送信キュー２３４−１〜２３４−ｎは各ユーザ対応のユーザデータ（Ｕ−ＤＡＴＡ）を専門に処理し、制御信号専用送信キュー２３５は各ユーザからの制御信号（Ｃ−ＤＡＴＡ）を専門に処理する。送信データバッファ２３１からデータをキューイングする際に、ユーザデータ送信ハンドラ２３２はユーザデータ送信キュー２３４−１〜２３４−ｎにキューイングすべきユーザデータ（Ｕ−ＤＡＴＡ）の刈り取りを行い、制御信号送信ハンドラ２３３は制御信号専用送信キュー２３５にキューイングすべきデータの刈り取りを行う。
【００３９】
図４は図２のキュー制御部２３６によるパケット送信ハードキュー２３５へのキューイング処理を示す図である。図４において、キュー制御部２３６は常に制御信号専用送信キュー２３５を優先的に監視しながら、ｎ個のユーザデータ送信キュー２３４−１〜２３４−ｎと制御信号専用送信キュー２３５とからシーケンシャルにパケットデータを１つずつパケット送信ハードキュー２３７にキューイングする処理を行っている。
【００４０】
図５は図２のキュー制御部２３６の構成を示すブロック図である。図５において、キュー制御部２３６はキュー情報監視テーブル２３６１と、キュークリア処理部２３６２とから構成されている。
【００４１】
キュー情報監視テーブル２３６１は制御信号専用送信キュー２３５に通信切断処理の信号が入った場合、キュー制御部２３６内にあるキュークリア処理部２３６２を起動し、通信切断処理対象となるユーザデータ送信キュー２３４−１〜２３４−ｎ内にある不要となったユーザデータＵ１〜Ｕ４をクリア（リセット）することによって、そのユーザデータ送信キュー２３４−１〜２３４−ｎのリソースを次のユーザのために割り当てる。
【００４２】
このように、本発明の実施の形態ではパケット送信ハードキュー２３７へのデータキューイング処理を、ユーザデータ送信キュー２３４−１〜２３４−ｎと制御信号専用送信キュー２３５との２種類のソフトキューに分離して行い、かつユーザデータ送信キュー２３４−１〜２３４−ｎと制御信号専用送信キュー２３５とをキュー制御部２３６にて監視することで、制御信号専用送信キュー２３５に通信切断処理の信号が入ってきた場合、即座にキュー制御部２３６内にあるキュークリア処理部２３６２を起動し、通信切断処理対象となるユーザデータ送信キュー２３４−１〜２３４−ｎ内にある不要となったユーザデータＵ１〜Ｕ４をクリアすることによって、そのユーザデータ送信キュー２３４−１〜２３４−ｎのリソースを次のユーザのために割り当て、かつパケット送信ハードキュー２３７に不要なデータをキューイングすることをなくすことができる。
【００４３】
これによって、本発明の実施の形態ではそのユーザデータ送信キュー２３４−１〜２３４−ｎのリソースを次に通信を行う新規ユーザのために割り当てることができ、かつパケット送信ハードキュー２３７に不要となったデータをキューイングすることがなくなる。
【実施例１】
【００４４】
次に、本発明の実施例について図面を参照して説明する。本発明の一実施例による移動体通信システムの構成は、上記の図１に示す本発明の実施の形態による移動体通信システムの構成と同様となっており、本発明の一実施例による無線基地局制御装置の構成は、上記の図２及び図５に示す本発明の実施の形態による無線基地局制御装置の構成と同様となっているので、それらの図示を省略する。
【００４５】
図１を参照すると、本発明の一実施例による移動体通信システムとしては、ＰＤＣ（Ｐｅｒｓｏｎａｌ  Ｄｉｇｉｔａｌ  Ｃｅｌｌｕｌａｒ）におけるインタネットとのパケット基本接続を実現したシステムを示している。このシステムは図示せぬ移動体端末から様々なプロバイダを介してインタネット網１００に接続し、パケットデータの通信を行うシステムである。
【００４６】
本実施例では、同一の無線基地局１−１，１−２のサービスエリア内において複数台の移動体端末がほぼ同時にパケット通信を発呼し、大量のユーザデータをダウンロードしている最中に、ランダムに選択した何台かの移動体端末から切断処理を行った時に適用される。
【００４７】
無線基地局１−１，１−２は移動体端末との間で無線区間のデータをやり取りするために使用される。一つの無線基地局１−１，１−２がサポートすることのできるエリアをサービスエリアという。ＡＴＭ交換機２内における移動体端末終端装置２４は移動体端末との間のプロトコルを終端する。また、移動体端末終端装置２４の上位装置として無線基地局制御装置２３があり、この無線基地局制御装置２３は無線基地局１−１，１−２毎に存在し、無線基地局１−１，１−２の制御を行う。
【００４８】
パケット処理装置２２，３３はそれぞれＡＴＭ交換機２及び関門交換機３内に設置され、ＡＴＭ交換機２及び関門交換機３内におけるパケットのプロトコル処理を行う。また、関門交換機３に設置されているプロトコル変換装置３２はＡＴＭ交換機２及び関門交換機３内で使用されているデータ形式から、インタネット網１００で使用されているデータ形式にデータのプロトコルの変換を行う装置である。ＡＴＭスイッチ２１，３１はそれぞれＡＴＭ交換機２及び関門交換機３内に設置されている。
【００４９】
図６は本発明の一実施例による移動体通信システムにおける送信キューの処理を示す図であり、図７は本発明の一実施例による無線基地局制御装置２３内のキュー制御部２３６の処理を示す図であり、図８は本発明の一実施例による無線基地局制御装置２３内のキュー制御部２３６のキュー制御処理を示すフローチャートる。これら図６〜図８を参照して本発明の一実施例の動作について説明する。尚、図８に示す処理はキュー制御部２３６が記録媒体２３８のプログラムを実行することで実現される。
【００５０】
まず、図６においては、各々識別情報が付与されたｎ人の移動体端末ユーザ＃１〜＃ｎが出力するユーザデータ［ＩＰ（Ｉｎｔｅｒｎｅｔ  Ｐｒｏｔｏｃｏｌ）パケット］をＩＰ１〜ＩＰｎとする。
【００５１】
また、図６には、移動体端末ユーザが同一の無線基地局１−１，１−２のサービスエリアにてインタネット接続可能な移動体端末６を用い、順番に大量のユーザデータをダウンロード開始した場合の動作を示しており、その内のユーザデータＩＰ２を出力する移動体端末ユーザがダウンロード中に通信切断要求を送出し、通信を切断しようとした際の動作を示している。この図６に示す一連の動作について以下、順番に説明する。
【００５２】
図６のａ１の動作は、インタネット網１００側からＩＰ１のユーザ＃１に対してユーザデータＩＰ１を送出するため、ユーザ＃１に対応のユーザデータ送信ソフトキュー２３４−１から、パケット送信ハードキュー２３７にデータをキューイングしていることを示している。
【００５３】
各ソフトキュー４を監視しているキュー制御部２３６は、ユーザ＃１宛ての１つのユーザデータＩＰ１をパケット送信ハードキュー２３７にキューイングした後（図８ステップＳ１〜Ｓ３）、制御信号専用送信キュー２３５の状態を見に行き、制御信号が存在すれば、その制御信号をパケット送信ハードキュー２３７にキューイングし（図８ステップＳ１，Ｓ４〜Ｓ６）、制御信号が存在しなければ、次のユーザ＃２に対応するユーザデータ送信キュー２３４−１の状態を見に行く（図８ステップＳ）。
【００５４】
図６のａ２の動作は、パケット送信ハードキュー２３７に送出されたユーザデータＩＰ１が無線伝送路（図示せず）を経由してユーザ＃１の移動体端末６に受信されたこと示している。図６においては、このａ１，ａ２の動作がユーザ＃１からユーザ＃ｎまで順番にｎ人分繰り返されている状態を示している。また、この動作については上記の図４においても示されている。
【００５５】
ここで、ＩＰ２を割り振られたユーザ＃２が通信途中で通信切断要求を送出した場合、図７のｂ１に示すように、ＩＰ２のユーザ＃２から送出された通信切断要求に対する通信切断応答信号（ＩＰ２切）が制御信号専用送信キュー２３５にキューイングされる。キュー制御部２３６が次に制御信号専用送信キュー２３５を見に来た時、図７のｂ２に示すように、キュー制御部２３６は制御信号専用送信キュー２３５に入ってきた制御信号をパケット送信ハードキュー２３７にキューイングすると同時に、この制御信号をキュー情報監視テーブル２３６１にコピーする。
【００５６】
キュー情報監視テーブル２３６１では、このコピーされた制御信号とテーブル上に記憶した情報とを比較し、この制御信号が通信切断処理の制御信号であることを特定する（図８ステップＳ７）。通信切断処理の制御信号であることを特定したキュー情報監視テーブル２３６１は、図７のｂ３に示すように、キュークリア処理部２３６２を起動し（図８ステップＳ８，Ｓ９）、その制御信号の示しているユーザ情報をキュークリア処理部２３６２に渡す。
【００５７】
キュークリア処理部２３６２は、図７のｂ４に示すように、制御信号の指し示すユーザ＃２が使用しているユーザデータ送信キュー２３４−２に対して、キューのリセットを行う（図８ステップＳ１０）。これによって、リセットされたユーザデータ送信キュー２３４−２はその保持内容がクリアされ、次の新たに通信を開始するユーザのためのエリアとして確保される。
【００５８】
次に、キュー制御部２３６は図４に示す順番で、ユーザ＃１のユーザデータ送信キュー２３４−１からユーザ＃ｎのユーザデータ送信キュー２３４−ｎまで、制御信号専用送信キュー２３５と交互にパケット送信ハードキュー２３７へのキューイング処理を実行していく。
【００５９】
このように、本実施例では、無線基地局制御装置２３内のソフトキュー構成を各移動体端末６に対応するユーザデータ送信キュー２３４−１〜２３４−ｎと制御信号専用送信キュー２３５との２種類とし、かつ制御信号専用送信キュー２３５を優先してパケット送信ハードキュー２３７にキューイングすることによって、ユーザデータが増加した場合でも、その影響を受けずに、制御信号を迅速に処理することができる。
【００６０】
また、本実施例では、この制御信号専用送信キュー２３５にキューイングされた内容をキュー制御部２３６にて常時監視することによって、その制御信号の内容が通信切断処理であった場合、通信切断制御信号をパケット送信ハードキュー２３７にキューイングすると同時に、不要となる対象のユーザデータ送信キュー２３４−１〜２３４−ｎをクリアする。これによって、本実施例では、ユーザデータ送信キュー２３４−１〜２３４−ｎからパケット送信ハードキュー２３７へと不要なデータをキューイングすることがなくなるうえ、そのユーザデータ送信キュー２３４−１〜２３４−ｎを新たに通信を開始するユーザのために使用することができる。
【００６１】
さらに、本実施例では、パケット送信ハードキュー２３７に不要データがキューイングされないので、スループットの向上効果と無線通信区間等の伝送路上への不要データ送出防止という効果も得られる。
【実施例２】
【００６２】
本発明の他の実施例として、ＰＤＣにおけるインタネットとのパケット基本接続を実現した移動体通信システムにて、パケット通信中の移動体端末のハンドオーバ処理への適用が挙げられる。この本発明の他の実施例による移動体通信システムの構成を図９に示す。
【００６３】
ハンドオーバとは、通信状態にある移動体端末９がある移動元無線基地局８−１のサポートするサービスエリアから、別の移動先無線基地局８−２のサポートするサービスエリアに移行する際に、その通信を切断することなく、移行することができるようにするために、及び同一のサービスエリア内において通信チャネルの状態をより良く保つために行われる処理である。
【００６４】
ハンドオーバが発生した場合、図９に示すように、ｃ１〜ｃ３の処理が発生する。図９のｃ１の処理では、移動元基地局制御装置７１と移動先基地局制御装置７３とのパスを接続しており、図９のｃ２の処理では、移動先基地局制御装置７３と移動先移動体端末終端装置７４とのパスを接続している。また、図９のｃ３の処理では移動元移動体端末制御装置７２にて管理していたユーザ情報を移動先移動体端末制御装置７４にコピーしている。そして、移動先移動体端末制御装置７４が新たに加わった移動体端末９に対して応答を返すことによって、ハンドオーバ処理が完了する。
【００６５】
このように、ハンドオーバ処理には多数の制御処理が必要となるうえ、移動先移動体端末制御装置７４から移動体端末９に対して送信されるハンドオーバ処理応答の制御信号が遅延するようなことがあると、通信の瞬断、データ抜けが発生してしまう可能性がある。したがって、データ遅延の発生する可能性が高い高トラフィック時には、本実施例が有効であるといえる。
【００６６】
仮に、本実施例を適用した移動体通信システムにおいて、トラフィックが上昇した状況下で、複数の移動体端末９がハンドオーバ処理を行った場合、ハンドオーバ処理要求の制御信号については、無線基地局制御装置内の制御信号専用送信キューに分離して処理されるため、同時に発生している他のユーザデータの影響を受けずに処理することが可能となる。
【００６７】
また、本実施例では、移動元無線基地局８−１から移動先無線基地局８−２への移行処理が迅速に行われることによって、ユーザには常に快適な通信状態を提供することが可能となる。
【００６８】
このように、本実施例では、送信データの処理ルートを制御信号とユーザデータとに区別し、常に移動体端末９の通信状態に応じた処理を行うことによって、トラフィックに左右されない安定した制御信号処理を実現することができる。
【図面の簡単な説明】
【００６９】
【図１】本発明の実施の形態による移動体通信システムの構成を示すブロック図である。
【図２】図１の無線基地局制御装置の構成例を示すブロック図である。
【図３】本発明の実施の形態による送信キューの使用方法を示す図である。
【図４】図２のキュー制御部によるパケット送信ハードキューへのキューイング処理を示す図である。
【図５】図２のキュー制御部の構成を示すブロック図である。
【図６】本発明の一実施例による移動体通信システムにおける送信キューの処理を示す図である。
【図７】本発明の一実施例による無線基地局制御装置内のキュー制御部の処理を示す図である。
【図８】本発明の一実施例による無線基地局制御装置内のキュー制御部のキュー制御処理を示すフローチャートである。
【図９】本発明の他の実施例による移動体通信システムの構成を示すブロック図である。
【図１０】従来の無線基地局制御装置の送信キュー構成を示すブロック図である。
【図１１】従来例による移動体通信システムの構成を示すブロック図である。
【符号の説明】
【００７０】
１−１，１−２  無線基地局
２，７  ＡＴＭ交換機
３  関門交換機
４  ソフトキュー
５  ハードキュー
６，９  移動体端末
８−１  移動元無線基地局
８−２  移動先無線基地局
２１，３１  ＡＴＭスイッチ
２２，３３  パケット処理装置
２３  無線基地局制御装置
２４  移動体端末終端装置
３２  プロトコル変換装置
７１  移動元基地局制御装置
７２  移動元移動体端末制御装置
７３  移動先基地局制御装置
７４  移動先移動体端末終端装置
２３１  送信データバッファ
２３２  ユーザデータ送信ハンドラ
２３３  制御信号送信ハンドラ
２３４−１〜２３４−ｎ  ユーザデータ送信キュー
２３５  制御信号専用送信キュー
２３６  キュー制御部
２３７  パケット送信ハードキュー
２３８  記録媒体
２３６１  キュー情報監視テーブル
２３６２  キュークリア処理部
【図１】
2006054626.tif 000003
【図２】
2006054626.tif 000004
【図３】
2006054626.tif 000005
【図４】
2006054626.tif 000006
【図５】
2006054626.tif 000007
【図６】
2006054626.tif 000008
【図７】
2006054626.tif 000009
【図８】
2006054626.tif 000010
【図９】
2006054626.tif 000011
【図１０】
2006054626.tif 000012
【図１１】
2006054626.tif 000013